(57)【要約】  本発明は、新規農作物品種の育種の技術分野に属し、具体的には、倍数体イネ２系回復系及びその育種方法に関する。前記育種方法は、ア）回復系を育種するための交配親本を確定することと、イ）インディカ型不稔／ジャポニカ型回復タイプの回復系を育種するか、または、ジャポニカ型不稔／インディカ型回復タイプの回復系を育種し、親本と交雑させてから戻し交雑あるいは複合交雑させることと、ウ）育種目標を達成するイネ単株を選択し、再び複合交雑させ、そして、初回の分子標識検定を行うことと、エ）比較を行い、性状の良い単株を選択し、株系が大体安定するまで連続自交を行うことと、オ）性状の良い、かつ検定分子標識を有する安定的な株系を選択することと、カ）選択した株系を父本として、異なるタイプの倍数体不稔系と検定交雑を行うことと、キ）良い雑種組み合わせ及びその回復系を選択することとを含む。本発明によれば、光・温度感受性遺伝子雄性不稔遺伝子の回復性とＰＭｅＳ遺伝子品系の倍数体イネの高結実性を組み合わせて、良い品系の倍数体イネ回復系を育種することができる。【選択図】図１
2018536399.tif 000002
【特許請求の範囲】
【請求項１】
ア）回復系を育種するための交配親本を確定し、前記交配親本は、ＰＭｅＳ遺伝子品系、光・温度感受性雄性不稔遺伝子を回復し得る回復品系、一定の抵抗性を有するインディカ型イネ品系、及びジャポニカ型イネ品系を含むことと、
イ）インディカ型不稔／ジャポニカ型回復タイプの回復系を育種することとして、まずは、四倍体インディカ型イネ品系を母本とし、ＰＭｅＳ遺伝子を有する四倍体ジャポニカ型イネ品系を父本とし、それらを交雑させ、そして、四倍体ジャポニカ型イネ品系を父本とし戻し交雑または複合交雑させるか、
または、ジャポニカ型不稔／インディカ型回復タイプの回復系を育種することとして、まずは、四倍体ジャポニカ型イネ品系を母本とし、ＰＭｅＳ遺伝子を有する四倍体インディカ型イネ品系を父本とし、それらを交雑させ、そして、四倍体インディカ型イネ品系を父本とし戻し交雑または複合交雑させることと、
ウ）倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ優良品系と複合交雑させ、分子標識を用いて複合交雑後代について初期スクリーニングを行うことと、
エ）選択し得た異なる株系を比較し、性状の良い単株を選択し、株系の性状が大体安定するまで連続して自交させることと、
オ）前記エ）で得られた複選株を比較し、再度分子標識を用いてスクリーニングを行い、良好な収率性能、優れた穀粒の性状、強い耐性、分子標識を有する安定株を選択し、優選株系とすることと、
カ）前記優選株系を父本とし、異なるタイプの倍数体イネ雄性遺伝子不稔系と検定交雑を行うことと、
キ）異なる検定交雑群の雑種について地区系の間で比較を行い、形態学的な特徴、和合性、及び雑種強勢によって、優れた形態、強い抗性、良い和合性、および強い雑種強勢を有する雑種の組み合わせおよびその回復系を選択し、前記回復系は四倍体イネ２系回復系であることと、
ク）前記選択し得た、不稔系、回復系、及び雑種を含む優先交配組について評価及び地区テストを行うことと、
ケ）四倍体イネ２系回復系の品種認定を申請することと、
を含むことを特徴とする倍数体２系回復系イネの育種方法。
【請求項２】
前記イ）に記載の母本である四倍体インディカ型イネ品系は、一定の抵抗性を有し、光・温度感受性雄性不稔遺伝子を回復できるインディカ型回復品系であり、前記ＰＭｅＳ遺伝子を有する四倍体ジャポニカ型イネ品系は、ＰＭｅＳ−１（Ｓｇ９９０１２）またはＰＭｅＳ−２（ＨＮ２０２６）から選択され、前記複合交雑に用いる四倍体ジャポニカ型イネ品系は、一定の抵抗性を有し、光・温度感受性雄性不稔遺伝子を回復できるジャポニカ型回復品系であることを特徴とする請求項１に記載の倍数体２系回復系イネの育種方法。
【請求項３】
前記イ）に記載の母本である四倍体ジャポニカ型イネ品系は、一定の抵抗性を有し、光・温度感受性雄性不稔遺伝子を回復できるジャポニカ型回復品系であり、前記ＰＭｅＳ遺伝子を有する四倍体インディカ型イネ品系は、ＤＴＳ５９、ＤＴＳ３２、ＤＴＳ６８、またはＤＴＳ１５から選択され、前記複合交雑に用いる四倍体インディカ型イネ品系は、一定の抵抗性を有し、光・温度感受性雄性不稔遺伝子を回復できるインディカ型回復品系であることを特徴とする請求項１に記載の倍数体２系回復系イネの育種方法。
【請求項４】
前記ウ）に記載のＰＭｅＳ遺伝子を有する四倍体イネ優良品系は、ＨＮ１７２、ＨＮ１８４、ＨＮ０５４、ＨＮ２６９、ＨＮ３６２、Ｔ１、Ｔ３、Ｔ５６、Ａ１、またはＡ３から選択されることを特徴とする請求項１に記載の倍数体２系回復系イネの育種方法。
【請求項５】
イネの高結実性、耐病性、害虫耐性、干ばつ抵抗性、品質性状に関連する分子標識を用いてイネ２系回復系についてスクリーニングを行うことを特徴とする請求項１に記載の倍数体２系回復系イネの育種方法。
【請求項６】
株型が適切であり、分蘖性が強く、茎が太く、穂大粒大であり、品質がよく、平均結実率が８０％以上であるという特徴を有し、ＰＲＸＸＸと命名され、その中で、ＸＸＸは数字である請求項１ないし５のいずれか１項に記載の倍数体２系回復系イネの育種方法によって育種し得る四倍体イネ２系回復系。
【発明の詳細な説明】
【技術分野】
【０００１】
本発明は、現代農業の新規農作物品種の育種の技術分野に属し、具体的には、倍数体イネ２系回復系およびその育種方法に関する。
【背景技術】
【０００２】
現在、世界中に植えられたイネは、二倍体であり、すなわち、その細胞内に２組の染色体（２ｎ＝２Ｘ＝２４）を有する。高茎品種から短茎品種への転換という第１次の緑色革命、及び通常の稲品種から交雑稲品種への転換という第２次の緑色革命に亘って、大幅に増産されたが、８０年代中期以来、長い時間の間に、米生産量は、高産量を巡ってうろうろしている。異なる年代で育種した品種の間の増産幅は、５％を超えることもなく、２０５０年以後に５０％増産し、世界中の食糧危機を解決する要求を満たすことが難しい。そのため、Ｃａｉ  ＤｅｔｉａｎおよびＹｕａｎ  Ｌｏｎｇｐｉｎｇらは（２００１）、生物学の面で「遠隔交雑と倍数体の二重の利点を利用するスーパーイネの繁殖」という新しい戦略を提案した。例えば、小麦、綿、菜の花のように、二倍体の野生種から、栽培の四倍体種または六倍体種まで進化して、その生産量も倍に増加した。そのように、４組または６組の染色体を有する倍数体イネを栽培することによって、収率を５０％増加させる可能性があり、根本的に世界中の食糧危機を解決することが可能であろう。特に、倍数体‘２系’交雑イネを利用することは、倍数体イネ育種の三つの段階中の第１の段階である。「２系」とは、光照射（温度）感受性遺伝子雄性不稔系と回復系の略称である（雄性不稔系、雄性不稔維持系、及び雄性不稔回復系という３系に対して言っている）。該光・温度感受性雄性不稔系は、異なる光照射時間（長日照、短日照）または異なる温度（高温、低温）の条件下において、雄性繁殖器官が、不稔性または可稔性の差別を発現しているため、同じ株でも不稔性から可稔性に転換することができる。そのような不稔性と可稔性の間の転換によって、同じ品系は、“不稔系”と“維持系”の両方の特徴を有し、不稔期において回復系と育種することができ、可稔期において繁殖することができ、１系両用の目的を達成することができる。回復系とは、雄性不稔回復系の略称であり、植物の雌雄性器官が正常に発育していって、自分自身で正常に受粉し結実することができ、そして、その花粉は雄性不稔系に受粉し結実させてから獲得した１代目の花粉が、正常な可稔性に回復させられ、自交によって結実することができることを意味し、回復系という。したがって、倍数体回復系は、まず、倍数体であり、例えば、四倍体イネは、４Ｘ＝４８であり、そして、倍数体としての茎が太く、花器が大きく、穂も粒子も大きく、花粉量も多く、花粉粒も大きく、ＫＩ−Ｉ２染色が正常な黒色であるなどの特徴を有し、自交によって正常に結実することができ、その花粉が雄性不稔系に受粉するとそれを雑種に結実させることができる。そして、植えた雑種1代目も、正常に結実することができ、また、強い雑種強勢を発現するため、従来の二倍体雑種強勢を倍数体雑種強勢へ転換し利用することができ、そして、インディカ型―ジャポニカ型の亜種の交配不調和性を克服することができ、より大きい増産能力と抗性優位性を有し、世界中の食糧危機を解決するために非常に重要な意味を有する。
【発明の概要】
【発明が解決しようとする課題】
【０００３】
本発明の一目的として、倍数体イネ２系回復系の育種方法を提供することである。
【０００４】
本発明の別の目的として、倍数体イネ２系回復系を提供することである。
【課題を解決するための手段】
【０００５】
上記の目的を達成するために、本発明は、下記の技術案を用いる。
【０００６】
本発明の一態様によれば、倍数体イネ２系回復系の育種方法が提供され、該育種方法は、下記のステップを含む。
【０００７】
ア）回復系を育種するための交配親本を確定し、前記交配親本は、ＰＭｅＳ（ＰＭｅＳはｐｏｌｙｐｌｏｉｄ ｍｅｉｏｓｉｓ ｓｔａｂｉｌｉｔｙを意味し、倍数体減数分裂安定性の英文の略語である。）遺伝子品系、光・温度感受性雄性不稔遺伝子を回復し得る回復品系、ある抵抗性を有するインディカ型イネ品系、及びジャポニカ型イネ品系を含む。
【０００８】
イ）インディカ型不稔／ジャポニカ型回復タイプの回復系を育種することとして、まずは、四倍体インディカ型イネ品系を母本とし、ＰＭｅＳ遺伝子を有する四倍体ジャポニカ型イネ品系を父本とし、それらを交雑させ、そして、四倍体ジャポニカ型イネ品系を父本とし戻し交雑または複合交雑させるか、
または、ジャポニカ型不稔／インディカ型回復タイプの回復系を育種することとして、まずは、四倍体ジャポニカ型イネ品系を母本とし、ＰＭｅＳ遺伝子を有する四倍体インディカ型イネ品系を父本とし、それらを交雑させ、そして、四倍体インディカ型イネ品系を父本とし戻し交雑または複合交雑させる。
【０００９】
ウ）倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ優良品系と複合交雑させ、分子標識を用いて複合交雑後代について初期スクリーニングを行う。
【００１０】
エ）選択し得た異なる株系を比較し、性状が良い単株を選択し、株系の性状が大体安定するまで連続して自交させる。
【００１１】
オ）前記エ）で得られた複選株を比較し、再度分子標識を用いてスクリーニングを行い、良好な収率性能、優れた穀粒の性状、強い耐性、分子標識を有する安定株を選択し、優選株系とする。
【００１２】
カ）前記優選株系を父本とし、異なるタイプの倍数体イネ雄性遺伝子不稔系と検定交雑を行う。
【００１３】
キ）異なる検定交雑群の雑種について地区系の間で比較を行い、形態学的な特徴、和合性、及び雑種強勢によって、優れた形態、強い抗性、良い和合性、および強い雑種強勢を有する雑種の組み合わせおよびその回復系を選択し、前記回復系は四倍体イネ２系回復系である。
【００１４】
ク）前記選択し得た、不稔系、回復系、及び雑種を含む優先交配組について評価及び地区テストを行う。
【００１５】
ケ）四倍体イネ２系回復系の品種認定を申請する。
【００１６】
また、上記の技術案では、前記イ）に記載の母本である四倍体インディカ型イネ品系は、一定の抵抗性を有し、光・温度感受性雄性不稔遺伝子を回復できるインディカ型回復品系であり、前記ＰＭｅＳ遺伝子を有する四倍体ジャポニカ型イネ品系は、ＰＭｅＳ−１（Ｓｇ９９０１２）またはＰＭｅＳ−２（ＨＮ２０２６）から選択され、前記複合交雑に用いる四倍体ジャポニカ型イネ品系は、一定の抵抗性を有し、光・温度感受性雄性不稔遺伝子を回復できるジャポニカ型回復品系である。
【００１７】
また、上記の技術案では、前記イ）に記載の母本である四倍体ジャポニカ型イネ品系は、一定の抵抗性を有し、光・温度感受性雄性不稔遺伝子を回復できるジャポニカ型回復品系であり、前記ＰＭｅＳ遺伝子を有する四倍体インディカ型イネ品系は、ＤＴＳ５９、ＤＴＳ３２、ＤＴＳ６８、またはＤＴＳ１５から選択され、前記複合交雑に用いる四倍体インディカ型イネ品系は、一定の抵抗性を有し、光・温度感受性雄性不稔遺伝子を回復できるインディカ型回復品系である。
【００１８】
また、上記の技術案では、前記ウ）に記載のＰＭｅＳ遺伝子を有する四倍体イネ優良品系は、ＨＮ１７２、ＨＮ１８４、ＨＮ０５４、ＨＮ２６９、ＨＮ３６２、Ｔ１、Ｔ３、Ｔ５６、Ａ１、またはＡ３から選択される。
【００１９】
また、上記の技術案では、イネの高結実性、耐病性、害虫耐性、干ばつ抵抗性、品質性状に関連する分子標識を用いてイネ２系回復系についてスクリーニングを行う。
【００２０】
上記倍数体２系回復系イネの育種方法によって育種し得た四倍体イネ２系回復系は、ＰＲＸＸＸと命名され、その中で、ＸＸＸは数字である。本発明の四倍体イネ２系回復系は、株型が適切であり、分蘖性が強く、茎が太く、穂大粒大であり、品質がよく、平均結実率が８０％以上であるような特徴を有する。本発明の育種方法に係るイネ品系は、従来の既に公開されたイネ品系であり、その中で、
四倍体ジャポニカ型イネ品系Ｄｕｒｅ：本発明者らによって、親和性イネ品種ＤｕｌａｒとＣ２７（瀋陽農業科学院の楊振玉研究員から提供）の交配後代を用いて、倍化することによって形成し得た四倍体ジャポニカ型イネ品系である。
【００２１】
ＰＭｅＳ−１（Ｓｇ９９０１２）：湖北大学生科院により、数年のインディカ型―ジャポニカ型交雑および戻し交雑の選択および試験を通して、インディカ型―ジャポニカ型交雑の倍数体後代から選択された倍数体減数分裂安定性（ＰＭｅＳ）を有する四倍体イネ品系ＰＭｅＳ−１であり、既に文献“蔡得田、陳建国、陳冬玲ら、「２つの倍数体減数分裂安定性を有する倍数体イネ品系の育種」、中国科学，２００７，３７（２）：２１７〜２２６”に公開された。
【００２２】
ＰＭｅＳ−２（ＨＮ２０２６）：湖北大学生科院により、インディカ型―ジャポニカ型交雑の倍数体後代から育種された倍数体減数分裂安定性を有する四倍体イネ品系ＰＭｅＳ−２であり、既に文献“蔡得田、陳建国、陳冬玲ら、「２つの倍数体減数分裂安定性を有する倍数体イネ品系の育種」、中国科学，２００７,３７（２）：２１７〜２２６”に公開された。
【００２３】
ＤＴＳ１７０：湖北大学生科院により、“レーザー４号”というイネ品種の交配後代について染色体を倍化することによって育種し得た四倍体インディカ型イネである。
【００２４】
ＤＴＳ５９、ＤＴＳ３２、ＤＴＳ６８、ＤＴＳ１５：ＤＴＳ１７０と“非脱穀インディカ型糯−４Ｘ”の交配後代により育種し得た倍数体イネ品系である。
【００２５】
ＨＮ１７２、ＨＮ１８４、ＨＮ０５４、ＨＮ２６９、Ｔ１、Ｔ３、Ｔ５６：湖北大学生科院により、倍数体減数分裂安定性のある倍数体イネ品系ＰＭｅＳ−１（Ｓｇ９９０１２）を親本として育種し得た減数分裂安定性のある、農業性状の良い繁殖後代である倍数体イネ品系である。
【００２６】
ＨＮ３６２、Ａ１、Ａ３：湖北大学生科院により、倍数体減数分裂安定性のある倍数体イネ品系ＰＭｅＳ−２（ＨＮ２０２６）を親本として育種し得た減数分裂安定性のある、農業性状の良い繁殖後代である倍数体イネ品系である。
【発明の効果】
【００２７】
本発明によれば、光・温度感受性雄性不稔遺伝子の回復性とＰＭｅＳ遺伝子品系の倍数体イネの高結実性を組み合わせて、性状の良い、光・温度感受性遺伝子雄性不稔性に回復できる遺伝子とＰＭｅＳ遺伝子のある、一定の抵抗性のあるインディカ型イネ品系とジャポニカ型イネ品系を用いて、交雑、複合交雑、及び戻し交雑を行い、そして、分子標識測定を利用することによって、四倍体イネ回復系の良い品種を育種できる倍数体イネ２系回復系の育種方法が提供される。本発明によって育種し得た四倍体イネ２系回復系は、株型が適切であり、分蘖性が強く、茎が太く、穂大粒大であり、品質がよく、平均結実率が８０％以上であるというような特徴を有する。
【図面の簡単な説明】
【００２８】
【図１】本発明の実施例による四倍体イネ２系回復系の写真である。
【図２】四倍体イネ回復系の根端染色体（２ｎ＝４ｘ＝４８）を示す図である。
【発明を実施するための形態】
【００２９】
本発明の理解を深めるために、以下に実施例を参考にしながら本発明の内容をさらに明確に説明するが、本発明の内容は以下の実施例に限定されるものではない。
【００３０】
（実施例１）四倍体イネ回復系−ＰＲ１４７の育種
１．四倍体イネ回復系−ＰＲ１４７の育種過程は、下記の通りである。 
【化１】
2018536399.tif 000003
【００３１】
２．育種過程の説明
四倍体２系回復系−ＰＲ１４７の育種方法は、下記のステップを含む。
【００３２】
ア）２系光・温度感受性回復系特性とＰＭｅＳ遺伝子の親本の倍数体イネ育種における重要な役割を明確にした上で、四倍体イネ品系Ｄｕｒｅ（ｊａｐｏｎｉｃａｃｌｉｎｏｕｓ型）と、ＰＭｅＳ遺伝子を有する四倍体イネ品系Ｓｇ９９０１２を、回復系の最初の交雑親本として確定した。
【００３３】
イ）四倍体ｊａｐｏｎｉｃａｃｌｉｎｏｕｓ型イネ品系Ｄｕｒｅを母本として、ＰＭｅＳ遺伝子を有する四倍体イネ品系Ｓｇ９９０１２を父本として、それらを交雑させて、交雑後代をさらに連続して６代目まで自交させて、その後、四倍体ジャポニカ型イネ品系ＤＴＳ５９（ＤＴＳ１７０／非脱殻インディカ型糯の後代）を父本として、複合交雑を行った。
【００３４】
ウ）倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ優良品系ＨＮ３６２（ＨＮ２０２６の四倍体イネの後代）と複合交雑させて、そして、イネの高結実性、耐病性、害虫耐性、干ばつ抵抗性、品質性状に関連する分子標識を用いて、複合交雑種について分子標識の測定及びスクリーニングを行った。
【００３５】
エ）複数代の自交及び選択を行って、各代目の異なる株を比較して、よりよい単株を選択して、株系の性状が大体安定するまで連続して複数代自交させた。
【００３６】
オ）異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００３７】
カ）優選株系を父本として、異なるタイプの倍数体イネ光・温度感受性遺伝子雄性不稔系と検定交雑を行った。
【００３８】
キ）異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、ＰＲ１４７と命名した。図１は、四倍体イネ２系回復系の写真であって、図１からわかるように、該四倍体イネ回復系は、株型が適切であって、分蘖性が強く、茎が太く、穂大粒大であって、品質がよく、平均結実率が８０％以上であるというような特徴を有している。図２には、四倍体イネ回復系の根端染色体（２ｎ＝４ｘ＝４８）を示した。
【００３９】
ク）前記選択し得た、不稔系、回復系、及び雑種を含む優先交配組について評価及び地区テストを行った。
【００４０】
ケ）該回復系について、品種認定を申請した。
【００４１】
（実施例２）四倍体イネ回復系−ＰＲ００３の育種
１．四倍体イネ回復系−ＰＲ００３の育種過程は、下記の通りである。 
【化２】
2018536399.tif 000004
【００４２】
２．育種過程の説明
倍数体イネ２系回復系−ＰＲ００３の育種方法は、下記のステップを含む。
【００４３】
ア）２系光・温度感受性回復系特性とＰＭｅＳ遺伝子の親本の倍数体イネ育種における重要な役割を明確にした上で、四倍体イネ品系Ｄｕｒｅ（ｊａｐｏｎｉｃａｃｌｉｎｏｕｓ型）と、ＰＭｅＳ遺伝子を有する四倍体イネ品系Ｓｇ９９０１２を、回復系の最初の交雑親本として確定した。
【００４４】
イ）四倍体ｊａｐｏｎｉｃａｃｌｉｎｏｕｓ型イネ品系Ｄｕｒｅを母本として、ＰＭｅＳ遺伝子を有する四倍体イネ品系Ｓｇ９９０１２を父本として、それらを交雑させて、交雑後代をさらに連続して６代目まで自交させて、その後、四倍体ジャポニカ型イネ品系ＤＴＳ５９（ＤＴＳ１７０／非脱殻インディカ型糯の後代）を父本として、複合交雑を行った。
【００４５】
ウ）倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ優良品系ＨＮ１７２と複合交雑させて、そして、イネの高結実性、耐病性、害虫耐性、干ばつ抵抗性、品質性状に関連する分子標識を用いて、複合交雑種について分子標識の測定及びスクリーニングを行った。
【００４６】
エ）さらに、複数代の自交及び選択を行って、各代目の異なる株を比較して、よりよい単株を選択して、株系の性状が大体安定するまで連続して複数代自交させた。
【００４７】
オ）異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００４８】
カ）優選株系を父本として、異なるタイプの倍数体イネ光・温度感受性遺伝子雄性不稔系と検定交雑を行った。
【００４９】
キ）異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、ＰＲ００３と命名した。
【００５０】
ク）前記選択し得た、不稔系、回復系、及び雑種を含む優先交配組について評価及び地区テストを行った。
【００５１】
ケ）該回復系について、品種認定を申請した。
【００５２】
（実施例３）四倍体イネ回復系−ＰＲ０３７〜ＰＲ０６０の育種
１．ＰＲ０３７〜ＰＲ０６０の系図は、下記の通りである。 
【化３】
2018536399.tif 000005
【００５３】
２．育種過程の説明
ア）四倍体ｊａｐｏｎｉｃａｃｌｉｎｏｕｓ型イネ品系Ｄｕｒｅを母本として、ＰＭｅＳ遺伝子を有する四倍体イネ品系Ｓｇ９９０１２を父本として、それらを交雑させて、交雑後代をさらに連続して５代目まで自交させて、その後、四倍体ジャポニカ型イネ品系ＤＴＳ３２（ＤＴＳ１７０／非脱殻インディカ型糯の後代）を父本として、複合交雑を行った。
【００５４】
ウ）倍数体イネ理想株のモジュール及び倍数体イネの穂大と粒大の特徴によって、育種目標を達成するイネ単株を選択し、複合交雑種を１代自交して、ＰＭｅＳ遺伝子を有する四倍体イネ優良品系ＨＮ１８４と複合交雑させて、そして、イネの高結実性、耐病性、害虫耐性、干ばつ抵抗性、品質性状に関連する分子標識を用いて、複合交雑種について分子標識の測定及びスクリーニングを行った。
【００５５】
エ）さらに、複数代の自交及び選択を行って、各代目の異なる株を比較して、よりよい単株を選択して、株系の性状が大体安定するまで連続して複数代自交させた。
【００５６】
オ）異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００５７】
カ）優選株系を父本として、異なるタイプの倍数体イネ光・温度感受性遺伝子雄性不稔系と検定交雑を行った。
【００５８】
キ）異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、該回復系は、四倍体イネ２系回復系であった。
【００５９】
（実施例４）四倍体イネ回復系−ＰＲ０６１〜ＰＲ０７９の育種
１．Ｒ０６１〜ＰＲ０７９の系図は、下記の通りである。
【化４】
2018536399.tif 000006
【００６０】
２．育種過程の説明
ア）四倍体ｊａｐｏｎｉｃａｃｌｉｎｏｕｓ型イネ品系Ｄｕｒｅを母本として、ＰＭｅＳ遺伝子を有する四倍体イネ品系ＨＮ２０２６を父本として、それらを交雑させて、交雑後代をさらに連続して５代目まで自交させて、その後、四倍体ジャポニカ型イネ品系ＤＴＳ６８（ＤＴＳ１７０／非脱殻インディカ型糯の後代）を父本として、複合交雑を行った。
【００６１】
ウ）倍数体イネ理想株のモジュール及び倍数体イネの穂大と粒大の特徴によって、育種目標を達成するイネ単株を選択し、複合交雑種を１代自交して、ＰＭｅＳ遺伝子を有する四倍体イネ優良品系ＨＮ０５４と複合交雑させて、そして、イネの高結実性、耐病性、害虫耐性、干ばつ抵抗性、品質性状に関連する分子標識を用いて、複合交雑種について分子標識の測定及びスクリーニングを行った。
【００６２】
エ）さらに、複数代の自交及び選択を行って、各代目の異なる株を比較して、よりよい単株を選択して、株系の性状が大体安定するまで連続して複数代自交させた。
【００６３】
オ）異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００６４】
カ）優選株系を父本として、異なるタイプの倍数体イネ光・温度感受性遺伝子雄性不稔系と検定交雑を行った。
【００６５】
キ）異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、該回復系は、四倍体イネ２系回復系であった。
【００６６】
（実施例５）四倍体イネ回復系−ＰＲ０８０〜ＰＲ０９８の育種
１．ＰＲ０８０〜ＰＲ０９８の系図は、下記の通りである。
【化５】
2018536399.tif 000007
【００６７】
２．育種過程の説明
ア）四倍体ｊａｐｏｎｉｃａｃｌｉｎｏｕｓ型イネ品系Ｄｕｒｅを母本として、ＰＭｅＳ遺伝子を有する四倍体イネ品系ＨＮ２０２６を父本として、それらを交雑させて、交雑後代をさらに連続して５代目まで自交させて、その後、四倍体ジャポニカ型イネ品系ＤＴＳ１５（ＤＴＳ１７０／非脱殻インディカ型糯の後代）を父本として、複合交雑を行った。
【００６８】
ウ）倍数体イネ理想株のモジュール及び倍数体イネの穂大と粒大の特徴によって、育種目標を達成するイネ単株を選択し、複合交雑種を１代自交して、ＰＭｅＳ遺伝子を有する四倍体イネ優良品系ＨＮ２６９と複合交雑させて、そして、イネの高結実性、耐病性、害虫耐性、干ばつ抵抗性、品質性状に関連する分子標識を用いて、複合交雑種について分子標識の測定及びスクリーニングを行った。
【００６９】
エ）さらに、複数代の自交及び選択を行って、各代目の異なる株を比較して、よりよい単株を選択して、株系の性状が大体安定するまで連続して複数代自交させた。
【００７０】
オ）異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００７１】
カ）優選株系を父本として、異なるタイプの倍数体イネ光・温度感受性遺伝子雄性不稔系と検定交雑を行った。
【００７２】
キ）異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、該回復系は、四倍体イネ２系回復系であった。
【００７３】
（付記）
（付記１）
ア）回復系を育種するための交配親本を確定し、前記交配親本は、ＰＭｅＳ遺伝子品系、光・温度感受性雄性不稔遺伝子を回復し得る回復品系、一定の抵抗性を有するインディカ型イネ品系、及びジャポニカ型イネ品系を含むことと、
イ）インディカ型不稔／ジャポニカ型回復タイプの回復系を育種することとして、まずは、四倍体インディカ型イネ品系を母本とし、ＰＭｅＳ遺伝子を有する四倍体ジャポニカ型イネ品系を父本とし、それらを交雑させ、そして、四倍体ジャポニカ型イネ品系を父本とし戻し交雑または複合交雑させるか、
または、ジャポニカ型不稔／インディカ型回復タイプの回復系を育種することとして、まずは、四倍体ジャポニカ型イネ品系を母本とし、ＰＭｅＳ遺伝子を有する四倍体インディカ型イネ品系を父本とし、それらを交雑させ、そして、四倍体インディカ型イネ品系を父本とし戻し交雑または複合交雑させることと、
ウ）倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ優良品系と複合交雑させ、分子標識を用いて複合交雑後代について初期スクリーニングを行うことと、
エ）選択し得た異なる株系を比較し、性状の良い単株を選択し、株系の性状が大体安定するまで連続して自交させることと、
オ）前記エ）で得られた複選株を比較し、再度分子標識を用いてスクリーニングを行い、良好な収率性能、優れた穀粒の性状、強い耐性、分子標識を有する安定株を選択し、優選株系とすることと、
カ）前記優選株系を父本とし、異なるタイプの倍数体イネ雄性遺伝子不稔系と検定交雑を行うことと、
キ）異なる検定交雑群の雑種について地区系の間で比較を行い、形態学的な特徴、和合性、及び雑種強勢によって、優れた形態、強い抗性、良い和合性、および強い雑種強勢を有する雑種の組み合わせおよびその回復系を選択し、前記回復系は四倍体イネ２系回復系であることと、
ク）前記選択し得た、不稔系、回復系、及び雑種を含む優先交配組について評価及び地区テストを行うことと、
ケ）四倍体イネ２系回復系の品種認定を申請することと、
を含むことを特徴とする倍数体２系回復系イネの育種方法。
【００７４】
（付記２）
前記イ）に記載の母本である四倍体インディカ型イネ品系は、一定の抵抗性を有し、光・温度感受性雄性不稔遺伝子を回復できるインディカ型回復品系であり、前記ＰＭｅＳ遺伝子を有する四倍体ジャポニカ型イネ品系は、ＰＭｅＳ−１（Ｓｇ９９０１２）またはＰＭｅＳ−２（ＨＮ２０２６）から選択され、前記複合交雑に用いる四倍体ジャポニカ型イネ品系は、一定の抵抗性を有し、光・温度感受性雄性不稔遺伝子を回復できるジャポニカ型回復品系であることを特徴とする付記１に記載の倍数体２系回復系イネの育種方法。
【００７５】
（付記３）
前記イ）に記載の母本である四倍体ジャポニカ型イネ品系は、一定の抵抗性を有し、光・温度感受性雄性不稔遺伝子を回復できるジャポニカ型回復品系であり、前記ＰＭｅＳ遺伝子を有する四倍体インディカ型イネ品系は、ＤＴＳ５９、ＤＴＳ３２、ＤＴＳ６８、またはＤＴＳ１５から選択され、前記複合交雑に用いる四倍体インディカ型イネ品系は、一定の抵抗性を有し、光・温度感受性雄性不稔遺伝子を回復できるインディカ型回復品系であることを特徴とする付記１に記載の倍数体２系回復系イネの育種方法。
【００７６】
（付記４）
前記ウ）に記載のＰＭｅＳ遺伝子を有する四倍体イネ優良品系は、ＨＮ１７２、ＨＮ１８４、ＨＮ０５４、ＨＮ２６９、ＨＮ３６２、Ｔ１、Ｔ３、Ｔ５６、Ａ１、またはＡ３から選択されることを特徴とする付記１に記載の倍数体２系回復系イネの育種方法。
【００７７】
（付記５）
イネの高結実性、耐病性、害虫耐性、干ばつ抵抗性、品質性状に関連する分子標識を用いてイネ２系回復系についてスクリーニングを行うことを特徴とする付記１に記載の倍数体２系回復系イネの育種方法。
【００７８】
（付記６）
株型が適切であり、分蘖性が強く、茎が太く、穂大粒大であり、品質がよく、平均結実率が８０％以上であるという特徴を有し、ＰＲＸＸＸと命名され、その中で、ＸＸＸは数字である付記１ないし５のいずれか１つに記載の倍数体２系回復系イネの育種方法によって育種し得る四倍体イネ２系回復系。
【図１】
2018536399.tif 000008
【図２】
2018536399.tif 000009
【国際調査報告】
2018536399.tif 000010
2018536399.tif 000011
2018536399.tif 000012
2018536399.tif 000013
2018536399.tif 000014
2018536399.tif 000015